(57)【要約】【課題】受信装置のコストを低減して、複数の搬送波を用いて信号を伝送できる送信装置等を提供する。【解決手段】送信装置は、放送された複数のストリームを取得する取得部と、複数のストリームのそれぞれを分割して複数の搬送波のそれぞれに割り当てる分割部と、分割されたそれぞれのストリームを既定の変調方式で変調する変調部と、変調されたそれぞれのストリームを、複数の搬送波を用いて送信する送信部と、を備える。分割部は、複数の搬送波のうちいずれかの搬送波に、複数のストリームのうち単一のストリームの一部を割り当てるとともに、いずれかの搬送波以外の他の搬送波に、複数のストリームについて、単一のストリームのうち一部以外の残りを割り当てる。【選択図】図２
2019102952.tif 000002
【特許請求の範囲】
【請求項１】
放送された複数のストリームを取得する取得部と、
前記複数のストリームのそれぞれを分割して複数の搬送波のそれぞれに割り当てる分割部と、
分割されたそれぞれの前記ストリームを既定の変調方式で変調する変調部と、
変調されたそれぞれの前記ストリームを、前記複数の搬送波を用いて送信する送信部と、を備え、
前記分割部は、
前記複数の搬送波のうちいずれかの搬送波に、前記複数のストリームのうち単一のストリームの一部を割り当てるとともに、
前記いずれかの搬送波以外の他の搬送波に、前記複数のストリームについて、前記単一のストリームのうち前記一部以外の残りを割り当てる、
送信装置。
【請求項２】
前記ストリームに前記ストリームに関する付加情報を付加する付加部、を更に備え、
前記付加情報は、前記複数の搬送波を含む搬送波群を識別するための搬送波群識別情報と、前記複数のストリームを識別するためのストリーム識別情報と、を含む、
請求項１に記載の送信装置。
【請求項３】
前記付加情報は、前記単一のストリームが割り当てられる搬送波の数を示す搬送波数情報と、前記単一のストリームが搬送波に割り当てられる順序を示す搬送波順序情報と、を含む、
請求項２に記載の送信装置。
【請求項４】
前記搬送波数情報が示す値は、前記搬送波群識別情報が同一である搬送波の総数よりも小さい、
請求項３に記載の送信装置。
【請求項５】
前記取得部は、
前記既定の変調方式とは異なる第２の変調方式で変調された複数のストリームを受信する受信部と、
受信された前記複数のストリームを、前記第２の変調方式に対応した復調方式で復調する復調部と、
復調された前記複数のストリームのそれぞれに含まれる、前記複数のストリームのそれぞれを識別するためのストリーム識別情報に基づいて、前記複数のストリームのそれぞれを取得する生成部と、
を備える、
請求項１〜４のいずれか１項に記載の送信装置。
【請求項６】
復調された前記複数のストリームのそれぞれは、可変長のパケット単位のストリームで構成され、
前記生成部は、前記可変長のパケット単位のストリームを、固定長のパケット単位のストリームに変換する、
請求項５に記載の送信装置。
【請求項７】
複数の搬送波を用いて送信された複数のストリームを受信する受信装置であって、
前記複数の搬送波を含む搬送波群を識別するための搬送波群識別情報が同一であり、且つ、前記複数のストリームのそれぞれを識別するためのストリーム識別情報が同一であるストリームを取得する受信部と、
取得された前記ストリームを既定の復調方式で復調して、前記複数の搬送波のそれぞれに対応付けられた前記ストリームの一部を複数取得する復調部と、
取得された複数の前記ストリームの一部を合成し、前記複数のストリームのうち単一のストリームを取得する合成部と、を備える、
受信装置。
【請求項８】
前記合成部は、
前記複数の搬送波のそれぞれに対応付けられて復調された出力データから、単一のストリームが割り当てられる搬送波の数を示す搬送波数情報と、単一のストリームが搬送波に割り当てられる順序を示す搬送波順序情報と、を取得し、
前記搬送波数情報及び前記搬送波順序情報に基づいて、取得された前記ストリームの一部を合成する、
請求項７に記載の受信装置。
【請求項９】
搬送波毎に、前記搬送波群識別情報と、前記搬送波の周波数の情報と、前記ストリーム識別情報と、前記搬送波数情報と、前記搬送波順序情報と、のうち少なくとも１つを記憶部に記憶させる制御部と、を更に備える、
請求項８に記載の受信装置。
【請求項１０】
ストリーム識別情報を指定する指定部、を更に備え、
前記合成部は、
前記複数の搬送波のそれぞれに対応付けられて復調された出力データから、前記ストリーム識別情報を含むヘッダ情報を取得し、
前記ヘッダ情報に基づいて、前記指定されたストリーム識別情報と一致するストリーム識別情報を有するストリームを取得し、前記指定されたストリーム識別情報と一致しないストリーム識別情報を有するストリームをＮＵＬＬデータとする
請求項７〜９のいずれか１項に記載の受信装置。
【請求項１１】
前記合成により取得された前記単一のストリームは、固定長のパケット単位のストリームで構成され、
前記合成部は、前記固定長のパケット単位の前記ストリームを、可変長のパケット単位の前記ストリームに変換する、
請求項７〜１０のいずれか１項に記載の受信装置。
【請求項１２】
放送された複数のストリームを取得するステップと、
前記複数のストリームのそれぞれを分割して複数の搬送波のそれぞれに割り当てるステップと、
分割されたそれぞれの前記ストリームを既定の変調方式で変調するステップと、
変調されたそれぞれの前記ストリームを、前記複数の搬送波を用いて送信するステップと、を有し、
前記複数の搬送波のそれぞれに割り当てるステップは、前記複数の搬送波のうちいずれかの搬送波に、前記複数のストリームのうち単一のストリームの一部を割り当てるとともに、前記いずれかの搬送波以外の他の搬送波に、前記複数のストリームについて、前記単一のストリームのうち前記一部以外の残りを割り当てるステップを含む、
送信方法。
【請求項１３】
複数の搬送波を用いて送信された複数のストリームを受信する受信方法であって、
前記複数の搬送波を含む搬送波群を識別するための搬送波群識別情報が同一であり、且つ、前記複数のストリームのそれぞれを識別するためのストリーム識別情報が同一であるストリームを取得するステップと、
取得された前記ストリームを既定の復調方式で復調して、前記複数の搬送波のそれぞれに対応付けられた前記ストリームの一部を複数取得するステップと、
取得された複数の前記ストリームの一部を合成し、前記複数のストリームのうち単一のストリームを取得するステップと、
を有する受信方法。
【発明の詳細な説明】
【技術分野】
【０００１】
本開示は、複数の搬送波を用いてストリームを送信する送信装置及び送信方法に関する。本開示は、複数の搬送波を用いて送信されたストリームを受信する受信装置及び受信方法に関する。
【背景技術】
【０００２】
従来、超高精細テレビジョン放送（４Ｋ／８Ｋ）を目指して、１００Ｍｂｐｓの情報レートをもつ高度広帯域衛星デジタル放送方式が策定されている。また、ケーブルテレビにより高度広帯域衛星デジタル放送（「高度ＢＳ放送」とも称する）を再放送するために、複数の搬送波を用いて信号を伝送するための複数搬送波伝送方式について検討が行われている（非特許文献１参照）。
【０００３】
この複数搬送波伝送方式では、複数の搬送波を用いて大容量のケーブルテレビの信号が伝送される。具体的には、ケーブルテレビ局のヘッドエンドが、大容量信号をケーブルテレビの１チャネルの伝送容量以下に分割し、それぞれを多重フレームに多重化し、変調し、複数の搬送波で搬送する。変調では、各チャネルの伝送品質に応じて、６４ＱＡＭ（Quadrature Amplitude Modulation）又は２５６ＱＡＭの変調方式が用いられる。受信機が、各搬送波を復調した信号から多重フレームを取り出して同期合成し、大容量信号を再生する。
【先行技術文献】
【非特許文献】
【０００４】
【非特許文献１】袴田佳孝、倉掛卓也、小西孝明、前田直樹、平岡斉、中丸則兼、杉本明久、「複数搬送波伝送方式による大容量ケーブルテレビ放送の実証実験」、映像情報メディア学会技術報告、Ｖｏｌ.３９、Ｎｏ．２８、ＢＣＴ２０１５−２５、２０１５年７月
【発明の概要】
【発明が解決しようとする課題】
【０００５】
高度ＢＳ放送では、１つの搬送波を用いて、１００Ｍｂｐｓの情報量を有する３チャネル分の４Ｋ放送の信号が伝送される。一方、ケーブルテレビ放送において６４ＱＡＭの変調方式で高度ＢＳ放送の信号が再放送される場合、１つの搬送波を用いて伝送可能な情報量は、２９．１６Ｍｂｐｓである。そのため、６４ＱＡＭの変調方式で１００Ｍｂｐｓの情報量の信号を送信する場合、４つの搬送波が必要となる。
【０００６】
４つの搬送波を用いて送信された信号を受信するためには、受信機は４つのチューナを備えることが必要である。一方、チューナは高価な機器であるため、チューナ数は可能な限り少なくして、受信機のコストを低減することが望ましい。
【０００７】
本開示は、上記事情に鑑みてなされたものであり、受信装置のコストを低減して、複数の搬送波を用いて信号を伝送できる送信装置、受信装置、送信方法、及び受信方法を提供する。
【課題を解決するための手段】
【０００８】
本開示の送信装置は、放送された複数のストリームを取得する取得部と、前記複数のストリームのそれぞれを分割して複数の搬送波のそれぞれに割り当てる分割部と、分割されたそれぞれの前記ストリームを既定の変調方式で変調する変調部と、変調されたそれぞれの前記ストリームを、前記複数の搬送波を用いて送信する送信部と、を備え、前記分割部は、前記複数の搬送波のうちいずれかの搬送波に、前記複数のストリームのうち単一のストリームの一部を割り当てるとともに、前記いずれかの搬送波以外の他の搬送波に、前記複数のストリームについて、前記単一のストリームのうち前記一部以外の残りを割り当てる。
【０００９】
本開示の受信装置は、複数の搬送波を用いて送信された複数のストリームを受信する受信装置であって、前記複数の搬送波を含む搬送波群を識別するための搬送波群識別情報が同一であり、且つ、前記複数のストリームのそれぞれを識別するためのストリーム識別情報が同一であるストリームを取得する受信部と、取得された前記ストリームを既定の復調方式で復調して、前記複数の搬送波のそれぞれに対応付けられた前記ストリームの一部を複数取得する復調部と、取得された複数の前記ストリームの一部を合成し、前記複数のストリームのうち単一のストリームを取得する合成部と、を備える。
【００１０】
本開示の送信方法は、放送された複数のストリームを取得するステップと、前記複数のストリームのそれぞれを分割して複数の搬送波のそれぞれに割り当てるステップと、分割されたそれぞれの前記ストリームを既定の変調方式で変調するステップと、変調されたそれぞれの前記ストリームを、前記複数の搬送波を用いて送信するステップと、を有し、前記複数の搬送波のそれぞれに割り当てるステップは、前記複数の搬送波のうちいずれかの搬送波に、前記複数のストリームのうち単一のストリームの一部を割り当てるとともに、前記いずれかの搬送波以外の他の搬送波に、前記複数のストリームについて、前記単一のストリームのうち前記一部以外の残りを割り当てるステップを含む。
【００１１】
本開示の受信方法は、複数の搬送波を用いて送信された複数のストリームを受信する受信方法であって、前記複数の搬送波を含む搬送波群を識別するための搬送波群識別情報が同一であり、且つ、前記複数のストリームのそれぞれを識別するためのストリーム識別情報が同一であるストリームを取得するステップと、取得された前記ストリームを既定の復調方式で復調して、前記複数の搬送波のそれぞれに対応付けられた前記ストリームの一部を複数取得するステップと、取得された複数の前記ストリームの一部を合成し、前記複数のストリームのうち単一のストリームを取得するステップと、を有する。
【発明の効果】
【００１２】
本開示によれば、受信装置のコストを低減して、複数の搬送波を用いて信号を伝送できる。
【図面の簡単な説明】
【００１３】
【図１】第１の実施形態における信号伝送システムを示す模式図
【図２】送信装置の構成例を示すブロック図
【図３】送信装置のフロントパネルの一例を示す図
【図４】１つの搬送波を用いて送信された衛星放送の放送信号の一例を示す図
【図５】分割された３つのストリームのＴＬＶパケットの一例を示す図
【図６】時系列に配列されたＴＬＶパケットの一例を示す図
【図７】時系列に配列された分割ＴＬＶパケットの一例を示す図
【図８】送信される各搬送波に対応する各多重フレームに対する各分割ＴＬＶパケットの割当例を示す図
【図９】多重フレームヘッダに含まれるパラメータの第１例を示す図
【図１０】多重フレームヘッダに含まれるパラメータの第２例を示す図
【図１１】ＱＡＭ変調部により変調された信号の一例を示す図
【図１２】送信装置の動作例を示すフローチャート
【図１３】受信装置の構成例を示すブロック図
【図１４】パラメータテーブルの一例を示す図
【図１５】受信された各搬送波に対応する各多重フレームに対する各分割ＴＬＶパケットの割当例を示す図
【図１６】分割ＴＬＶパケットの合成例を示す図
【図１７】指定ストリーム以外のストリームの分割ＴＬＶパケットをＮＵＬＬパケットとすることを説明する図
【図１８】ＴＬＶパケットの配列例を示す図
【図１９】受信装置の動作例を示すフローチャート
【図２０】比較例を説明するための図
【発明を実施するための形態】
【００１４】
以下、適宜図面を参照しながら、実施形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になることを避け、当業者の理解を容易にするためである。尚、添付図面及び以下の説明は、当業者が本開示を十分に理解するために提供されるものであり、これらにより特許請求の範囲に記載の主題を限定することは意図されていない。
【００１５】
（第１の実施形態）
図１は、第１の実施形態における信号伝送システム５の構成例を示す模式図である。信号伝送システム５は、送信装置１０及び受信装置２０を備える。送信装置１０及び受信装置２０はケーブル３０を介して送信される。信号伝送システム５では、複数の搬送波ＣＷ（ＣＷ１，ＣＷ２，ＣＷ３，・・・）を用いて信号が伝送される。
【００１６】
送信装置１０は、例えば、ケーブルテレビ局に設置されたヘッドエンドである。送信装置１０は、衛星放送（例えば高度ＢＳ放送）を再放送する。送信装置１０は、複数の搬送波ＣＷを用いて送信された信号を受信し、受信された信号に対して各種処理（例えば復調、分割、多重、変調）を行い、ケーブル３０を介して処理された信号を複数の搬送波ＣＷを用いて再送信する。送信装置１０により送信される信号は、１つ以上のストリームＳＴを含み、ケーブルテレビ放送の信号でよい。ストリームＳＴは、例えばＭＰＥＧ−２のデータを格納又は通信するためのデータ形式の１つであり、映像データ、音声データ、静止画データ、文字データ、等を含む。送信装置１０は、複数の搬送波ＣＷを用いて信号を送信することで、実質的に複数の搬送波ＣＷの伝送レートを合計したレートでの送信が可能となり、１つの搬送波ＣＷのみでは送信できない大容量のデータの送信が可能である。
【００１７】
受信装置２０は、例えば、各家庭に設置されたテレビ放送受信装置やセットトップボックスである。受信装置２０は、送信装置１０により複数の搬送波ＣＷを用いて送信された信号を、ケーブル３０を介して受信し、受信された信号に対して各種処理（例えば、復調、合成、パケットの抽出）を行い、信号に含まれる任意のストリームＳＴを取得する。受信装置２０により受信される信号は、１つ以上のストリームＳＴを含み、ケーブルテレビ放送の信号でよい。
【００１８】
ケーブル３０は、送信装置１０から受信装置２０へ複数の搬送波ＣＷを用いて信号を伝送する。ケーブル３０は、同軸ケーブルやその他のケーブルでよい。
【００１９】
＜送信装置の構成＞
図２は、送信装置１０の構成例を示すブロック図である。送信装置１０は、衛星チューナ１０１、ＡＰＳＫ復調部１０２、ＴＬＶパケット分割部１０３、パケット変換部１０４、パケット割当部１０５、ヘッダ付加部１０６、変調部１０７（１０７ａ，１０７ｂ，１０７ｃ，１０７ｄ）、混合部１０８を備える。
【００２０】
衛星チューナ１０１は、衛星アンテナを介して、１つの搬送波を用いて送信された衛星放送（例えば高度ＢＳ放送）の放送信号を受信する。衛星放送の放送信号は、ＡＰＳＫ（Amplitude Phase Shift Keying）変調方式で変調された信号でよい。
【００２１】
ＡＰＳＫ復調部１０２は、衛星放送の放送信号を、上記のＡＰＳＫ変調方式に対応するＡＰＳＫ復調方式で復調する。ＡＰＳＫ復調部１０２は、衛星放送の放送信号を復調して、復調データを得る。復調データには、複数のストリームＳＴ（ＳＴ１，ＳＴ２，ＳＴ３，・・・）と、複数のストリームＳＴのそれぞれを識別するためのストリーム識別情報と、含まれる。
【００２２】
ＴＬＶパケット分割部１０３は、復調データから取得されたストリーム識別情報に基づいて、復調された複数のストリームＳＴを、単一のストリームＳＴのそれぞれに分割する。また、ＴＬＶパケット分割部１０３は、複数のストリームＳＴのそれぞれを、パケット単位のストリームに分割する。ストリームＳＴは、可変長のパケット単位のＴＬＶ（Type Length Value）パケットＰ１又は固定長のパケット単位のＴＳ（Transport Stream）パケットを含む。ＴＬＶパケットＰ１は、４バイト〜１５００バイトの間のいずれかの長さの可変長のパケットである。ＴＳパケットは、例えば１８８バイトの固定長のパケットである。ＴＬＶパケット分割部１０３は、ＴＬＶパケットＰ１を含む場合、ストリームＳＴをＴＬＶパケットＰ１毎に分割する。ＴＬＶパケット分割部１０３は、ＴＳパケットを含む場合、ストリームＳＴをＴＳパケット毎に分割する。なお、各チャネルのストリームＳＴは、同じ情報量でもよいし異なる情報量でもよい。また、ＴＬＶパケット分割部１０３は、ＴＬＶパケットやＴＳパケットとは異なるパケット長のパケットに、ストリームＳＴを分割してもよい。
【００２３】
パケット変換部１０４は、可変長のＴＬＶパケットＰ１を固定長のパケットである分割ＴＬＶパケットＰ２に変換する。分割ＴＬＶパケットＰ２は、例えば１８８バイトのパケットである。分割ＴＬＶパケットＰ２には、分割ＴＬＶパケットＰ２の先頭にヘッダが含まれてよい。分割ＴＬＶパケットＰ２のヘッダには、例えば、同期バイトが含まれている。この同期バイトは、分割ＴＬＶパケットを検出するための目安となり得る。送信装置１０は、ＴＬＶパケットＰ１を分割ＴＬＶパケットＰ２に変換することで、ＴＬＶパケットＰ１とＴＳパケットとを同じ固定長のパケットとして扱うことができ、後述する多重フレームＭＦに格納できる。
【００２４】
パケット割当部１０５は、複数の分割ＴＬＶパケットＰ２を多重化し、多重フレームＭＦ（例えばＴＳＭＦ（Transport Streams Multiplexing Frame））を生成する。多重フレームＭＦは、複数（例えば５３個）の多重フレームスロット（例えばＴＳＭＦスロット）を有する。多重フレームスロットＭＦＳのスロット長は、分割ＴＬＶパケットＰ２のパケット長と同じであり、例えば１８８バイトである。多重フレームスロットＭＦＳは、例えば先頭に、多重フレームヘッダ（例えばＴＳＭＦヘッダ）が格納されるヘッダスロットを有する。多重フレームスロットＭＦＳは、例えばヘッダスロットに後続して、分割ＴＬＶパケット又はＴＳパケットが割り当てられて格納される割当スロットを有する。
【００２５】
パケット割当部１０５は、多重フレームＭＦを複数生成する。パケット割当部１０５は、例えば後述する割当情報に基づいて、どの多重フレームＭＦにおけるどの割当スロットに、どのストリームＳＴのどの分割ＴＬＶパケットＰ２を格納するかを決定する。パケット割当部１０５は、決定された多重フレームＭＦの割当スロットにストリームＳＴの分割ＴＬＶパケットＰ２を格納する。パケット割当部１０５は、複数の多重フレームＭＦのそれぞれを、複数の搬送波ＣＷのそれぞれに割り当てる。
【００２６】
ヘッダ付加部１０６は、複数の搬送波ＣＷに割り当てられる多重フレームＭＦの割当スロットに対する分割ＴＬＶパケットの割当結果を基に、多重フレームヘッダのパラメータの少なくとも一部を決定する。ヘッダ付加部１０６は、決定されたパラメータを含む多重フレームヘッダを生成し、多重フレームヘッダを多重フレームＭＦのヘッダスロットに格納する。また、ヘッダ付加部１０６は、多重フレームヘッダのパラメータの少なくとも一部を、メモリに保持された割当情報から取得してもよい。
【００２７】
多重フレームヘッダは、下記の参考非特許文献１の標準規格に準拠した多重フレームヘッダの各種パラメータを有してよい。多重フレームヘッダは、例えば、ストリームＳＴや搬送波ＣＷに関する各種パラメータを含む。
（参考非特許文献１：ＪＣＴＥＡ  ＳＴＤ−００２−６．１  第一編  第五部  複数搬送波伝送方式規格、一般社団法人日本ＣＡＴＶ技術協会標準規格）
【００２８】
多重フレームヘッダの各種パラメータは、group_id、搬送波周波数情報、number_of_carrier、carrier_sequence、stream_id、original_network_id、等を含んでよい。group_idは、複数の搬送波を含む搬送波群を識別するための情報であり、搬送波群識別情報の一例である。group_idは、受信側において合成対象となる複数の多重フレームＭＦに対応する複数の搬送波に対して、同一の値が付される。搬送波周波数情報は、搬送波の周波数を示す情報であり、送信時に選局される周波数の情報である。number_of_carrierは、単一のストリームＳＴが割り当てられる搬送波（搬送波に対応する多重フレームＭＦ）の数を示す情報であり、搬送波数情報の一例である。number_of_carrierは、単一のストリームＳＴが分割して割り当てられる搬送波の総数を示してよい。carrier_sequenceは、単一のストリームＳＴが割り当てられる搬送波（搬送波に対応する多重フレームＭＦ）の順序を示す情報であり、搬送波順序情報の一例である。carrier_sequenceは、単一のストリームＳＴが分割される場合にどのような搬送波の順序で分割するかを示してよい。stream_idは、複数のストリームＳＴのそれぞれを識別するための情報であり、ストリーム識別情報の一例である。original_network_idは、ストリームＳＴが伝送されるネットワークを識別するための情報であり、ネットワーク識別情報の一例である。ネットワークは、例えば、地上デジタル放送ネットワーク、ＢＳデジタル放送ネットワーク、ケーブルテレビ放送ネットワーク、高度ＢＳ放送ネットワーク、等を含んでよい。なお、group_id、number_of_carrier、carrier_sequenceは、参考非特許文献１の標準規格に準拠した多重フレームヘッダの拡張情報に含まれてよい。
【００２９】
多重フレームヘッダの各種パラメータは、相対ストリーム番号に対するstream_id及びoriginal_network_idの情報、relative_stream_number、等を含んでよい。相対ストリーム番号は、stream_id毎に付される番号である。relative_stream_numberは、多重フレームＭＦの各割当スロットに対応する相対ストリーム番号の情報である。相対ストリーム番号に対するstream_id及びoriginal_network_idの情報は、参考非特許文献１の標準規格に準拠した「stream_id/original_network_id（識別子／相対ストリーム番号対応情報）」でよい。
【００３０】
ＱＡＭ変調部１０７は、複数の搬送波ＣＷ（ＣＷ１〜ＣＷ４）のそれぞれに割り当てられた多重フレームＭＦを、既定の変調方式（例えば６４ＱＡＭ変調方式）で変調する。ＱＡＭ変調部１０７は、搬送波ＣＷ毎に１つずつＱＡＭ変調部１０７ａ〜１０７ｄを有してよい。
【００３１】
例えば、ＱＡＭ変調部１０７ａは、搬送波ＣＷ１に割り当てられた多重フレームＭＦの各パケット（多重フレームヘッダ及び分割ＴＬＶパケット）を、６４ＱＡＭ変調方式で変調する。ＱＡＭ変調部１０７ｂは、搬送波ＣＷ２に割り当てられた多重フレームＭＦの各パケットを、６４ＱＡＭ変調方式で変調する。ＱＡＭ変調部１０７ｃは、搬送波ＣＷ３に割り当てられた多重フレームＭＦの各パケットを、６４ＱＡＭ変調方式で変調する。ＱＡＭ変調部１０７ｄは、搬送波ＣＷ４に割り当てられた多重フレームＭＦの各パケットを、６４ＱＡＭ変調方式で変調する。
【００３２】
混合部１０８は、各搬送波ＣＷ１〜ＣＷ４を混合し、ケーブル３０を介して、混合データを送信する。
【００３３】
次に、パケット割当部１０５が参照する割当情報について説明する。
【００３４】
図３は、送信装置１００が備えるフロントパネル１１０の一例を示す図である。フロントパネル１１０は、割当情報の生成時に用いられてよい。フロントパネル１１０には、操作部１１１（例えば十字キーや決定キー）が設けられ、操作部１１１を介してユーザの操作を入力してよい。フロントパネル１１０には、割当情報の少なくとも一部の情報が表示領域１１２に表示されてよい。フロントパネル１１０は、タッチパネルであってよい。生成された割当情報は、送信装置１００が備えるメモリに保持されてよい。
【００３５】
パケット割当部１０５が参照する割当情報には、例えば、搬送波群に含まれる搬送波ＣＷの数（複数のストリームＳＴが割り当てられる搬送波ＣＷの総数）の情報、ストリームＳＴの伝送に使用される各搬送波ＣＷの周波数の情報、が含まれてよい。割当情報には、単一のストリームＳＴが割り当てられる搬送波ＣＷの順序の情報（carrier_sequenceに相当）、単一のストリームＳＴが割り当てられる搬送波ＣＷの総数の情報（number_of_sequenceに相当）、搬送波群の識別情報（group_idに相当）、が含まれてよい。割当情報には、各搬送波ＣＷへの各ストリームＳＴの割当方法の情報、各搬送波ＣＷのスロット割当の情報（各ストリームＳＴを各搬送波ＣＷの何番目のスロットに割り当てるかを示す情報）が含まれてよい。
【００３６】
搬送波群に含まれる搬送波ＣＷの数の情報、各搬送波ＣＷの周波数の情報、搬送波ＣＷの順序の情報、単一のストリームＳＴが割り当てられる搬送波ＣＷの総数の情報、搬送波群の識別情報、及び各搬送波ＣＷへの各ストリームＳＴの割当方法の情報は、例えば、送信装置１０が備える操作部１１１を介して入力されてよい。つまりこれらの情報がユーザ入力され、パケット割当部１０５がこれらの情報を取得してよい。各搬送波ＣＷのスロット割当の情報は、送信装置１０が備えるメモリに保持され、パケット割当部１０５がメモリからこの情報を取得してよい。
【００３７】
搬送波群に含まれる搬送波ＣＷの数は、例えば「４」である。各搬送波ＣＷの周波数の情報は、例えば、搬送波ＣＷ１：３８７ＭＨｚ、搬送波ＣＷ２：３９３ＭＨｚ、搬送波ＣＷ３：３９９ＭＨｚ、搬送波ＣＷ４：４０５ＭＨｚである。搬送波ＣＷの順序（carrier_sequence）は、例えば、搬送波ＣＷ１が１番目（ＣＷ１＝「１」）、搬送波ＣＷ２が１番目（ＣＷ２＝「１」）、搬送波ＣＷ３が１番目（ＣＷ３＝「１」）、搬送波ＣＷ４が２番目（ＣＷ４＝「２」）、である。単一のストリームＳＴが割り当てられる搬送波ＣＷの総数（number_of_carrier）は、例えば、搬送波ＣＷ１については「２」（ＣＷ１＝「２」）、搬送波ＣＷ２については「２」（ＣＷ２＝「２」）、搬送波ＣＷ３については「２」（ＣＷ３＝「２」）、搬送波ＣＷ４については「２」（ＣＷ４＝「２」）、である。搬送波群の識別情報（group_id）は、例えば「０ｘ１０１０」である。各搬送波ＣＷへの各ストリームＳＴの割当方法の情報は、例えば、ストリームＳＴ１（stream_id＝「0x6010」）は搬送波ＣＷ１，ＣＷ４、ストリームＳＴ２（stream_id＝「0x6020」）は搬送波ＣＷ２，ＣＷ４、ストリームＳＴ３（stream_id＝「0x6030」）は搬送波ＣＷ３，ＣＷ４、である。
【００３８】
各搬送波ＣＷのスロット割当の情報は、例えば、メモリに保持された情報でもよいし、メモリに保持されたプログラムを実行することで得られる情報でもよい。この場合、例えば、各ストリームＳＴの情報レート（例えばＭｂｐｓ単位）に従って、各搬送波ＣＷに対して各ストリームＳＴが割り当てられる割当スロットのスロット数及びスロット位置が決定される。決定されたスロット数及びスロット位置の情報は、メモリに保持され、パケット割当部１０５により参照されてよい。
【００３９】
図４は、１つの搬送波を用いて送信された衛星放送の放送信号（変調波）の一例を示す図である。衛星チューナ１０１は、衛星アンテナを介して、衛星放送の放送信号を受信する。図４では、衛星放送の放送信号には、３チャネル分の４Ｋ放送の放送信号（つまり３つのストリームＳＴ）が多重化されて含まれる。
【００４０】
図５は、分割された３つのストリームＳＴのＴＬＶパケットＰ１の一例を示す図である。図５では、図４で得られた３チャネル分の４Ｋ放送の放送信号が復調されており、ＴＬＶパケット分割部１０３は、復調データに含まれるストリームを、３つのストリームＳＴ（ＳＴ１〜ＳＴ３）に分割し、ストリームＳＴ１〜ＳＴ３をＴＬＶパケットＰ１に分割している。
【００４１】
図６は、時系列に配列されたＴＬＶパケットＰ１の一例を示す図である。ＴＬＶパケット分割部１０３の出力では、図５で得られた３つのストリームＳＴ１〜ＳＴ３のそれぞれのＴＬＶパケットＰ１が、時系列に配列されている。図６では、ストリームＳＴ１のＮ個のＴＬＶパケットＰ１Ａ−１〜Ｐ１Ａ−Ｎ、ストリームＳＴ２のＮ個のＴＬＶパケットＰ１Ｂ−１〜Ｐ１Ｂ−Ｎ、ストリームＳＴ１のＮ個のＴＬＶパケットＰ１Ｃ−１〜Ｐ１Ｃ−Ｎが、順に配列されている。なお、ストリームＳＴ１〜ＳＴ３に含まれるＴＬＶパケットＰ１のパケット数は、Ｎ個でなくてもよい。
【００４２】
なお、例えば、ＴＬＶパケットに付された符号「Ｐ１Ａ−１」について、「Ｐ１」は、ＴＬＶパケットであることを示し、「Ａ」はストリームＳＴ１であることを示し、「−１」は、時系列で１番目のＴＬＶパケットであることを示している。つまり、ＴＬＶパケットＰ１Ａ−１は、ストリームＳＴ１の１番目のＴＬＶパケットであることを示している。なお、ストリームＳＴ２の場合には、「Ａ」ではなく「Ｂ」が付され、ストリームＳＴ３の場合には、「Ａ」ではなく「Ｃ」が付されている。
【００４３】
図７は、時系列に配列された分割ＴＬＶパケットＰ２の一例を示す図である。パケット変換部１０４は、図６で得られた各ストリームＳＴ１〜ＳＴ３の各ＴＬＶパケットＰ１を、分割ＴＬＶパケットＰ２に変換する。各分割ＴＬＶパケットＰ２の先頭には、ヘッダの領域が設けられる（図７の「Ｈ」参照）。この結果、パケット変換部１０４の出力では、ストリームＳＴ１のＬ個（Ｎ≠Ｌ）の分割ＴＬＶパケットＰ２Ａ−１〜Ｐ２Ａ−Ｌ、ストリームＳＴ２のＬ個の分割ＴＬＶパケットＰ２Ｂ−１〜Ｐ２Ｂ−Ｌ、ストリームＳＴ３のＬ個のＴＬＶパケットＰ２Ｃ−１〜Ｐ２Ｃ−Ｌが、順に配列されている。なお、ストリームＳＴ１〜ＳＴ３に含まれる分割ＴＬＶパケットＰ２のパケット数は、Ｌ個でなくてもよい。また、ヘッダを含む分割ＴＬＶパケットＰ２Ａ、Ｐ２Ｂ、Ｐ２Ｃのパケット長は、固定長パケットのパケット長の整数倍となっているが、固定長パケットのなかで、分割ＴＬＶパケットＰ２ＡとＰ２Ｂ、分割ＴＬＶパケットＰ２ＢとＰ２Ｃの区切りがあってもよい。
【００４４】
なお、例えば、分割ＴＬＶパケットに付された符号「Ｐ２Ａ−１」について、「Ｐ２」は、分割ＴＬＶパケットであることを示し、「Ａ」はストリームＳＴ１であることを示し、「−１」は、時系列で１番目の分割ＴＬＶパケットであることを示している。つまり、分割ＴＬＶパケットＰ２Ａ−１は、ストリームＳＴ１の１番目の分割ＴＬＶパケットであることを示している。なお、ストリームＳＴ２の場合には、「Ａ」ではなく「Ｂ」が付され、ストリームＳＴ３の場合には、「Ａ」ではなく「Ｃ」が付されている。
【００４５】
図８は、各多重フレームＭＦ１〜ＭＦ４に対する各分割ＴＬＶパケットＰ２の割当例を示す図である。多重フレームＭＦ１〜ＭＦ４のそれぞれは、送信される搬送波ＣＷ１〜ＣＷ４のそれぞれに対応する。多重フレームＭＦは、ヘッダスロットと割当スロットとを有する。図８では、１フレームあたりの割当スロットの数は、一例として、５２個である。図８では、複数の搬送波ＣＷとして、４つの搬送波ＣＷ１〜ＣＷ４が存在し、各搬送波ＣＷ１〜ＣＷ４に割り当てられる各多重フレームＭＦ１〜ＭＦ４が示されている。
【００４６】
パケット割当部１０５は、複数の搬送波ＣＷ１〜ＣＷ４のうち一部の搬送波ＣＷ１〜ＣＷ３に、単一のストリームＳＴの一部を割り当て、この一部の搬送波ＣＷ１〜ＣＷ３以外の他の搬送波ＣＷ４に、単一のストリームＳＴの一部以外の残りを割り当てる。図８では、パケット割当部１０５は、搬送波ＣＷ１に対応する多重フレームＭＦ１の割当スロットに、単一のストリームＳＴの一部であるストリームＳＴ１の分割ＴＬＶパケットＰ２を割り当てる。パケット割当部１０５は、搬送波ＣＷ２に対応する多重フレームＭＦ２の割当スロットに、単一のストリームＳＴの一部であるストリームＳＴ２の分割ＴＬＶパケットＰ２を割り当てる。パケット割当部１０５は、搬送波ＣＷ３に対応する多重フレームＭＦ３の割当スロットに、単一のストリームＳＴの一部であるストリームＳＴ３の分割ＴＬＶパケットＰ２を割り当てる。パケット割当部１０５は、搬送波ＣＷ４に対応する多重フレームＭＦ４の割当スロットに、各ストリームＳＴ１〜ＳＴ３の残りの分割ＴＬＶパケットＰ２を割り当てる。
【００４７】
具体的には、パケット割当部１０５は、多重フレームＭＦ１の各割当スロットに、分割ＴＬＶパケットＰ２Ａ−１、Ｐ２Ａ−３、Ｐ２Ａ−４、Ｐ２Ａ−５、Ｐ２Ａ−７、・・・Ｐ２Ａ−６８を順に割り当てる。パケット割当部１０５は、多重フレームＭＦ２の各割当スロットに、分割ＴＬＶパケットＰ２Ｂ−１、Ｐ２Ｂ−２、Ｐ２Ｂ−４、Ｐ２Ｂ−５、Ｐ２Ｂ−６、・・・Ｐ２Ｂ−６８を順に割り当てる。パケット割当部１０５は、多重フレームＭＦ３の各割当スロットに、分割ＴＬＶパケットＰ２Ｃ−１、Ｐ２Ｃ−２、Ｐ２Ｃ−３、Ｐ２Ｃ−５、Ｐ２Ｃ−６、・・・Ｐ２Ｃ−６７を順に割り当てる。パケット割当部１０５は、多重フレームＭＦ４の各割当スロットに、分割ＴＬＶパケットＰ２Ａ−２、Ｐ２Ｂ−３、Ｐ２Ｃ−４、Ｐ２Ａ−６、Ｐ２Ｂ−７、・・・Ｐ２Ｃ−６８を順に割り当てる。
【００４８】
したがって、複数のストリームＳＴ１〜ＳＴ３が混在して格納される多重フレームＭＦ４では、ストリームＳＴ１の分割ＴＬＶパケットＰ２は、１，４，７，・・・，４９番目の割当スロットに割り当てられる。多重フレームＭＦ４では、ストリームＳＴ２の分割ＴＬＶパケットＰ２は、２，５，８，・・・，５０番目の割当スロットに割り当てられる。多重フレームＭＦ４では、ストリームＳＴ３の分割ＴＬＶパケットＰ２は、３，６，９，・・・，５１番目の割当スロットに割り当てられる。
【００４９】
各分割ＴＬＶパケットＰ２が格納された多重フレームＭＦ１は、ＱＡＭ変調部１０７ａに入力される。各分割ＴＬＶパケットＰ２が格納された多重フレームＭＦ２は、ＱＡＭ変調部１０７ｂに入力される。各分割ＴＬＶパケットＰ２が格納された多重フレームＭＦ３は、ＱＡＭ変調部１０７ｃに入力される。各分割ＴＬＶパケットＰ２が格納された多重フレームＭＦ４は、ＱＡＭ変調部１０７ｄに入力される。
【００５０】
図８では、多重フレームＭＦ１の１番目の割当スロットと２番目の割当スロットに記された矢印は、データの時間順を示す。つまり、多重フレームＭＦ１では、１番目の割当スロットの左側から右側に順に処理され、続いて２番目の割当スロットの左側から右側に順に処理される。
【００５１】
図９は、多重フレームヘッダに含まれるパラメータの第１例を示す図である。１つの多重フレームＭＦには、１つの搬送波が対応する。図９では、パラメータには、一例として、group_id、搬送波周波数情報（選局周波数の情報）、number_of_carrier、carrier_sequence、stream_id、及びoriginal_network_idが含まれる。なお、選局周波数の情報は、多重フレームヘッダに含まれなくてもよい。
【００５２】
group_idには、各多重フレームＭＦ１〜ＭＦ４に対応する各搬送波ＣＷ１〜ＣＷ４が属する搬送波群の識別情報が付され、同一の値「０ｘ０００１」が付されている。
【００５３】
stream_idには、各多重フレームＭＦ１〜ＭＦ４に格納されるストリームＳＴの識別情報が付される。多重フレームＭＦ１には単一のストリームＳＴ１が格納されているので、多重フレームＭＦ１の多重フレームヘッダには、単一のストリームＳＴ１の識別情報である「０ｘ６０１０」が付されている。多重フレームＭＦ２には単一のストリームＳＴ２が格納されているので、多重フレームＭＦ２の多重フレームヘッダには、単一のストリームＳＴ２の識別情報である「０ｘ６０２０」が付されている。多重フレームＭＦ３には単一のストリームＳＴ３が格納されているので、多重フレームＭＦ３の多重フレームヘッダには、ストリームＳＴ３の識別情報である「０ｘ６０３０」が付されている。多重フレームＭＦ４には複数のストリームＳＴ１〜ＳＴ３が格納されているので、多重フレームＭＦ４の多重フレームヘッダには、複数のストリームＳＴ１〜ＳＴ４のそれぞれの識別情報である「０ｘ６０１０」、「０ｘ６０２０」、及び「０ｘ６０３０」が付されている。
【００５４】
original_network_idには、多重フレームＭＦ１〜ＭＦ４に格納されるストリームＳＴ１〜ＳＴ３のそれぞれが伝送されるネットワークの識別情報が付され、同一の値「０ｘ０００Ａ」が付されている。
【００５５】
number_of_carrierには、stream_idで識別されるストリームＳＴが割り当てられる搬送波の数の情報が付される。多重フレームＭＦ１の多重フレームヘッダには、ストリームＳＴ１が格納される多重フレームＭＦは多重フレームＭＦ１，ＭＦ４であるので、多重フレームＭＦ１，ＭＦ４の数に対応する搬送波の数である「２」が付されている。多重フレームＭＦ２の多重フレームヘッダには、ストリームＳＴ２が格納される多重フレームＭＦは多重フレームＭＦ２，ＭＦ４であるので、多重フレームＭＦ２，ＭＦ４の数に対応する搬送波の数である「２」が付されている。多重フレームＭＦ３の多重フレームヘッダには、ストリームＳＴ３が格納される多重フレームＭＦは多重フレームＭＦ３，ＭＦ４であるので、多重フレームＭＦ３，ＭＦ４の数に対応する搬送波の数である「２」が付されている。多重フレームＭＦ４の多重フレームヘッダには、ストリームＳＴ１〜ＳＴ３が格納される多重フレームＭＦは、それぞれ、多重フレームＭＦ１，ＭＦ４、多重フレームＭＦ２，ＭＦ４、多重フレームＭＦ３，ＭＦ４であるので、それぞれの多重フレームＭＦの数に対応する搬送波の数である「２」が付されている。
【００５６】
carrier_sequenceには、stream_idで識別されるストリームＳＴが割り当てられる搬送波の順序の情報が付される。多重フレームＭＦ１の多重フレームヘッダには、ストリームＳＴ１が格納される多重フレームＭＦ１，ＭＦ４に対応する搬送波ＣＷ１，ＣＷ４のうち、搬送波ＣＷ１に対するストリームＳＴ１の割当順序（合成順序）が１番目であることを示す「１」が付されている。多重フレームＭＦ２の多重フレームヘッダには、ストリームＳＴ２が格納される多重フレームＭＦ２，ＭＦ４に対応する搬送波ＣＷ２，ＣＷ４のうち、搬送波ＣＷ２に対するストリームＳＴ２の割当順序が１番目であることを示す「１」が付されている。多重フレームＭＦ３の多重フレームヘッダには、ストリームＳＴ３が格納される多重フレームＭＦ３，ＭＦ４に対応する搬送波ＣＷ３，ＣＷ４のうち、搬送波ＣＷ３に対するストリームＳＴ３の割当順序が１番目であることを示す「１」が付されている。多重フレームＭＦ４の多重フレームヘッダには、ストリームＳＴ１〜ＳＴ３が格納される多重フレームＭＦ１，ＭＦ４、多重フレームＭＦ２，ＭＦ４、多重フレームＭＦ３，ＭＦ４に対応する搬送波ＣＷ１，ＣＷ４、搬送波ＣＷ２，ＣＷ４、搬送波ＣＷ３，ＣＷ４のうち、搬送波ＣＷ４に対するストリームＳＴ１〜３の割当順序がいずれも２番目であることを示す「２」が付されている。
【００５７】
図９に示されたパラメータの情報により、どの搬送波ＣＷに対応する多重フレームＭＦに、どのストリームＳＴが格納されているか、ストリームＳＴを合成するためにどの搬送波が選局されるべきか、どのような順序で搬送波に対応するストリームＳＴが合成されるべきか、等が受信装置２０側において認識可能となる。
【００５８】
また、number_of_carrierに示すように、複数のストリームＳＴ１〜ＳＴ３を送信するために必要な搬送波の総数４よりも、単一のストリームＳＴ（ストリームＳＴ１〜ＳＴ３のいずか１つ）を送信するために必要な搬送波の総数２（図９では２）が少ない。そのため、受信側では、搬送波群に属する搬送波の全てを受信しなくても、単一のストリームを取得可能となる。複数のストリームＳＴ１〜ＳＴ３を送信するために必要な搬送波の総数は、例えば割当情報により定められている。
【００５９】
また、搬送波群に含まれる全ての搬送波に均等に複数のストリームＳＴ１〜ＳＴ３を割り当てると、carrier_sequenceは順番に「１」、「２」、「３」、「４」となる。一方、搬送波群に、単一のストリームＳＴで占有する搬送波ＣＷ１〜ＣＷ３が含まれることで、単一のストリームが割り当てられる搬送波の数が減り、carrier_sequenceの最大値（図９では「２」）が、均等に搬送波に割り当てる場合と比較して小さくなる。これは、受信側で必要となる搬送波ＣＷの数を低減できることを意味し、受信側のケーブルチューナ２０４の数が低減され得る。また、複数のストリームＳＴ１〜ＳＴ３のそれぞれで割り当てられない搬送波ＣＷが存在することで、carrier_sequenceの値として同じ値（例えば「１」）が存在し得る。この場合でも、受信装置２０では、単一のストリームが受信されることで、carrier_sequenceに従って、ストリームＳＴの各分割ＴＬＶパケットＰ２を整列できる。
【００６０】
なお、図９では、４つの多重フレームＭＦ１〜ＭＦ４に格納される４つの多重フレームヘッダのパラメータの一例をまとめて示したが、１つの多重フレームＭＦの多重フレームヘッダには、１つの多重フレームＭＦに対応する搬送波ＣＷ１〜ＣＷ４のいずれか１つに関するパラメータの情報が格納される。例えば、多重フレームＭＦ１の多重フレームヘッダには、搬送波ＣＷ１に関するパラメータの情報（図９の１行目の情報）が格納され、搬送波ＣＷ２〜ＣＷ４に関するパラメータの情報（図９の２〜４行目の情報）が格納されない。
【００６１】
図１０は、図８の多重フレームＭＦ４の多重フレームヘッダに含まれるパラメータの第２例を示す図である。図１０では、パラメータには、一例として、スロット番号、相対ストリーム番号、stream_id、original_network_idが含まれる。なお、多重フレームヘッダに格納される各種パラメータの一例を図９及び図１０に別々に示したが、多重フレームヘッダには図９に示したパラメータの第１例と図１０に示したパラメータの第２例との双方が含まれてよい。なお、図１０に示す情報を、スロットストリーム対応情報とも称する。
【００６２】
スロット番号は、多重フレームＭＦにおける割当スロットのスロット番号を示す。図１０では、スロット番号として「１」〜「５２」が示されている。相対ストリーム番号は、stream_idと同様に、ストリームＳＴ１〜ＳＴ３を識別する情報である。図１０では、ストリームＳＴ１であるstream_id「０ｘ６０１０」に対して相対ストリーム番号「１」が付されている。ストリームＳＴ２であるstream_id「０ｘ６０２０」に対して相対ストリーム番号「２」が付されている。ストリームＳＴ３であるstream_id「０ｘ６０３０」に対して相対ストリーム番号「３」が付されている。図１０に示すスロットストリーム対応情報は、多重フレームＭＦ４の多重フレームヘッダに格納される情報でよい。なお、図１０に示すスロットストリーム対応情報は、相対ストリーム番号とstream_id及びoriginal_network_idとの対応情報と、相対ストリーム番号と多重フレームＭＦのスロット番号との対応情報と、に分けられていてもよい。
【００６３】
図１０に示されたパラメータの情報により、多重フレームＭＦにおけるどの割当スロットに、どのストリームＳＴの分割ＴＬＶパケットＰ２が格納されているかが、受信装置２０側において認識可能となる。
【００６４】
図１１は、ＱＡＭ変調部１０７ａ〜１０７ｄにより変調された信号の一例を示す図である。図１１では、搬送波ＣＷ１〜ＣＷ３には、単一のストリームであるストリームＳＴ１〜ＳＴ３のいずれか１つが割り当てられている。搬送波ＣＷ４には、複数のストリームＳＴ１〜ＳＴ３が割り当てられる。
【００６５】
具体的には、搬送波ＣＷ１に対応する多重フレームＭＦ１の割当スロットには、ストリームＳＴ１の分割ＴＬＶパケットＰ２が割り当てられ、他のストリームＳＴ２，ＳＴ３の分割ＴＬＶパケットＰ２が割り当てられていない。搬送波ＣＷ２に対応する多重フレームＭＦ２の割当スロットには、ストリームＳＴ２の分割ＴＬＶパケットＰ２が割り当てられ、他のストリームＳＴ１，ＳＴ３の分割ＴＬＶパケットＰ２が割り当てられていない。搬送波ＣＷ３に対応する多重フレームＭＦ３の割当スロットには、ストリームＳＴ３の分割ＴＬＶパケットＰ２が割り当てられ、他のストリームＳＴ１，ＳＴ２の分割ＴＬＶパケットＰ２が割り当てられていない。搬送波ＣＷ４に対応する多重フレームＭＦ４の割当スロットには、ストリームＳＴ１〜ＳＴ３の分割ＴＬＶパケットＰ２が割り当てられている。
【００６６】
＜送信装置の動作＞
次に、送信装置１０の動作例について説明する。
図１２は、送信装置１０の動作例を示すフローチャートである。
【００６７】
衛星チューナ１０１は、衛星放送の放送信号を受信する（Ｓ１０１）。ＡＰＳＫ復調部１０２は、衛星放送の放送信号を、例えばＡＰＳＫ復調方式で復調する（Ｓ１０２）。ＴＬＶパケット分割部１０３は、復調データに含まれるストリーム識別情報を基に、復調データを分割し、ストリームＳＴ１〜ＳＴ３のＴＬＶパケットＰ１を取得する（Ｓ１０３）。パケット変換部１０４は、可変長のパケットであるＴＬＶパケットＰ１を、固定長のパケットである分割ＴＬＶパケットＰ２に格納することで、分割ＴＬＶパケットＰ２に変換する（Ｓ１０４）。つまり、パケット変換部１０４は、可変長のパケット単位のストリームＳＴを、固定長のパケット単位のストリームＳＴに変換する。
【００６８】
パケット割当部１０５は、各ストリームＳＴ１〜ＳＴ３の分割ＴＬＶパケットＰ２を、各搬送波ＣＷ１〜ＣＷ４に対応する各多重フレームＭＦ１〜ＭＦ４における各割当スロットに格納する（Ｓ１０５）。ヘッダ付加部１０６は、各搬送波ＣＷ１〜ＣＷ４に対応する各多重フレームＭＦ１〜ＭＦ４の多重フレームヘッダの情報（パラメータ）を、各多重フレームＭＦにおけるヘッダスロットに格納する（Ｓ１０６）。
【００６９】
ＱＡＭ変調部１０７ａ〜１０７ｄは、各多重フレームＭＦ１〜ＭＦ４が割り当てられた各搬送波ＣＷ１〜ＣＷ４を６４ＱＡＭ変調方式で変調する（Ｓ１０７）。つまり、ＱＡＭ変調部１０７は、各搬送波ＣＷ１〜ＣＷ４に対応する各多重フレームＭＦ１〜ＭＦ４の各スロットに含まれるパケットを、６４ＱＡＭ変調方式で変調する。混合部１０８は、変調された各搬送波ＣＷ１〜ＣＷ４を混合し、ケーブル３０を介して送信する（Ｓ１０８）。
【００７０】
このような送信装置１０によれば、均等にストリームＳＴ１〜ＳＴ３が割り当てられた搬送波ＣＷを用いるのではなく、１つのストリームＳＴにより占有される搬送波ＣＷ１〜ＣＷ３と、複数のストリームＳＴにより共有される搬送波ＣＷ４と、を用いて、ストリームＳＴ１〜ＳＴ３を送信できる。よって、送信装置１０は、単一のストリームＳＴが割り当てられる搬送波ＣＷの数を減らして、複数のストリームＳＴを受信装置２０へ送信できる。よって、単一のストリームＳＴが割り当てられる搬送波ＣＷの数に応じて設けられる受信側のケーブルチューナ等の数を低減でき、受信装置２０のコストを低減できる。
【００７１】
また、１つのストリームＳＴにより占有される搬送波ＣＷがストリームＳＴ毎に設けられることで、送信装置１０は、いずれのストリームＳＴ１〜ＳＴ３についても、占有される搬送波ＣＷと共有される搬送波ＣＷを用いて送信できる。したがって、送信装置１０は、受信装置２０のコストを低減しながら、同程度の情報量の複数のストリームＳＴ１〜ＳＴ３を送信できる。
【００７２】
＜受信装置の構成＞
図１３は、受信装置２０の構成例を示すブロック図である。受信装置２０は、ＣＰＵ２０１、メモリ２０２、分配部２０３、ケーブルチューナ２０４（２０４ａ，２０４ｂ）、ＱＡＭ復調部２０５（２０５ａ，２０５ｂ）、合成部２０６、ストリーム選択部２０７、及びパケット変換部２０８を備える。
【００７３】
ＣＰＵ（Central Processing Unit）２０１は、メモリ２０２に保持されたプログラムを実行することで、各種処理を実行する。ＣＰＵ２０１は、受信装置２０の各部の動作を統括して制御するための信号処理、他の各部との間のデータの入出力処理、データの演算処理及びデータの記憶処理を行う。ＣＰＵ２０１は、プロセッサの一例である。ＣＰＵ２０１ではなく、他のプロセッサ（例えば、ＤＳＰ（Digital Signal Processor）、ＧＰＵ（Graphical Processing Unit）が設けられてもよい。ＣＰＵ２０１と、ケーブルチューナ２０４、ＱＡＭ復調部２０５、合成部２０６、及びストリーム選択部２０７とは、Ｉ２Ｃを介して接続されてよい。
【００７４】
ＣＰＵ２０１は、メモリ２０２に保持された後述するパラメータテーブルＴ１を参照し、選局周波数を決定し、ケーブルチューナ２０４へ選局周波数を指示する。この場合、ＣＰＵ２０１は、パラメータテーブルＴ１に保持されたgroup_idが同一であり、且つstream_idが同一であるストリームＳＴを認識する。ＣＰＵ２０１は、認識されたストリームＳＴが１つである場合、このストリームＳＴを指定する。ＣＰＵ２０１は、認識されたストリームＳＴが複数である場合、この複数のストリームＳＴから単一のストリームＳＴを指定する。例えば、ＣＰＵ２０１は、受信装置２０が備える操作部を介してユーザ操作を受け、所望のストリームを識別するためのストリーム識別情報を指定し、つまり所望のストリームを指定してよい。ＣＰＵ２０１は、指定されたストリーム（指定ストリームとも称する）を取得するための複数の搬送波ＣＷの周波数を選局周波数として決定する。ＣＰＵ２０１は、決定された複数の選局周波数のそれぞれを、ケーブルチューナ２０４ａ，２０４ｂへ指示してよい。
【００７５】
メモリ２０２は、ＲＡＭ（Random Access Memory）やＲＯＭ（Read Only Memory）等の一次記憶装置を含む。メモリ２０２は、ＨＤＤ（Hard Disk Drive）、ＳＳＤ（Solid State Drive）、ＵＳＢメモリ、等の二次記憶装置を含んでよい。メモリ２０２は、各種データ、情報、プログラム、等を記憶する。メモリ２０２は、パラメータテーブルＴ１を保持する。パラメータテーブルＴ１は、後述する周波数スキャンの結果得られる、送信装置１０からの多重フレームＭＦの多重フレームヘッダに格納された情報を保持する。パラメータテーブルＴ１が保持するパラメータには、一例として、group_id、搬送波周波数情報（選局周波数の情報）、number_of_carrier、carrier_sequence、stream_id、及びoriginal_network_idが含まれる。
【００７６】
分配部２０３は、複数の搬送波ＣＷを用いて送信装置１０により送信され、ケーブル３０を介して伝送された信号を入力する。分配部２０３は、入力された信号（入力信号）を分配し、複数のケーブルチューナ２０４に送る。
【００７７】
入力信号には、送信装置１０から送信され、ケーブル３０を介して複数の搬送波ＣＷを用いて伝送された信号が含まれ得る。入力信号には、先述した、多重フレームＭＦに格納された多重フレームヘッダ及び分割ＴＬＶパケットＰ２が変調された信号が含まれ得る。入力信号には、送信装置１０から送信された信号以外の信号が含まれ得る。
【００７８】
ケーブルチューナ２０４は、ＣＰＵ２０１からの指示に従って、複数の搬送波ＣＷのうちのいずれかの搬送波を選局する。１つのケーブルチューナ２０４により、１つの搬送波ＣＷを選局する。よって、例えば２つの搬送波ＣＷを用いて送信された２つの信号は、分配部２０３を介して、２つのケーブルチューナ２０４ａ，２０４ｂにより取得される。ケーブルチューナ２０４ａ，２０４ｂにより選局される搬送波は、指定ストリームに対応する搬送波であり、パラメータテーブルＴ１に保持されたgroup_idが同一であり、且つstream_idが同一である搬送波である。したがって、ケーブルチューナ２０４は、指定ストリームを含む信号を入力する。
【００７９】
ＱＡＭ復調部２０５は、分配部２０３及びケーブルチューナ２０４を介して取得された複数の信号を、６４ＱＡＭ変調方式に対応する６４ＱＡＭ復調方式で復調し、復調データを得る。復調データは、例えば、送信装置１０により送信され、搬送波ＣＷに割り当てられた多重フレームＭＦを含む。ＱＡＭ復調部２０５は、ケーブルチューナ２０４毎に、ケーブルチューナ２０４の後段に設けられる。したがって、ケーブルチューナ２０４ａ，２０４ｂの後段に、ＱＡＭ復調部２０５ａ，２０５ｂが設けられる。
【００８０】
合成部２０６は、得られた複数の復調データから、複数の多重フレームＭＦの割当スロットに格納された複数の分割ＴＬＶパケットＰ２を取得する。合成部２０６は、メモリ２０２に保持されたパラメータテーブルＴ１を参照し、number_of_carrier及びcarrier_sequenceに基づいて、取得された複数の分割ＴＬＶパケットＰ２を合成し、合成データを得る。
【００８１】
ストリーム選択部２０７は、合成データに含まれる複数の分割ＴＬＶパケットＰ２のうち、指定ストリームの分割ＴＬＶパケットＰ２をＮＵＬＬパケットに変換せず、指定ストリーム以外のストリームの分割ＴＬＶパケットＰ２をＮＵＬＬパケットに変換（ＮＵＬＬパケット化）する。つまり、ストリーム選択部２０７は、指定されたストリーム識別情報を有するストリームをそのまま残し、指定されたストリーム識別情報を有しないストリームをＮＵＬＬデータとする。ストリーム選択部２０７は、多重フレームヘッダに含まれるスロットストリーム対応情報に含まれるスロット番号及びstream_idに基づいて、多重フレームＭＦにおけるどの割当スロットに、指定ストリームの分割ＴＬＶパケットＰ２が格納されているかを判別できる。これにより、ストリーム選択部２０７は、ＮＵＬＬパケットを除外した指定ストリームの分割ＴＬＶパケットＰ２を取得する。なお、ＮＵＬＬパケットは、無効なパケットである。
【００８２】
パケット変換部２０８は、ストリーム選択部２０７により取得された指定ストリームの分割ＴＬＶパケットＰ２を、ＴＬＶパケットＰ１に変換する。つまり、パケット変換部２０８は、指定ストリームを、固定長のパケット単位のストリームＳＴから、可変長のパケット単位のストリームＳＴに変換する。
【００８３】
なお、図１３では、ＱＡＭ復調部２０５により復調されてから、合成部２０６により合成され、ストリーム選択部２０７によりＮＵＬＬパケット化されることを例示したが、合成とＮＵＬＬパケット化の順序は逆でもよい。つまり、ＱＡＭ復調部２０５の後段にストリーム選択部２０７が配置され、ストリーム選択部２０７の後段に合成部２０６が配置され、ＮＵＬＬパケット化した後に合成されてもよい。この場合、受信装置２０は、ＮＵＬＬパケット化された分割ＴＬＶパケットＰ２を合成対象から除外でき、合成データのデータ長を短くできる。
【００８４】
次に、パラメータテーブルＴ１を生成するための周波数スキャンについて説明する。
【００８５】
ＣＰＵ２０１は、周波数スキャンを実施してよい。周波数スキャンでは、ＣＰＵ２０１は、選局周波数を順次変更し、ケーブルチューナ２０４に信号を入力（受信）させる。入力信号は、ケーブルチューナ２０４の後段のＱＡＭ復調部２０５により復調され、復調データが得られる。ＣＰＵ２０１は、復調データに含まれる多重フレームＭＦの多重フレームヘッダを取得する。したがって、ＣＰＵ２０１は、順次変更された周波数の搬送波に対応する複数の多重フレームＭＦの多重フレームヘッダを取得する。ＣＰＵ２０１は、各多重フレームヘッダに含まれるパラメータの情報をパラメータテーブルＴ１に格納し、メモリ２０２に記憶させる。
【００８６】
受信装置２０は、周波数スキャンにより、所望のストリームの取得前に、各周波数の搬送波やストリームの情報を取得できる。これにより、受信装置２０は、同一の搬送波群に含まれる全ての搬送波を受信することを回避して、所望のストリームに関係する搬送波に限定して、ケーブルチューナ２０４により取得できる。よって、送信装置１０が、複数のストリームＳＴを複数の搬送波ＣＷに均等に割り当てず、各ストリームＳＴ１〜ＳＴ３の割当量が搬送波ＣＷによって異なる場合でも、受信装置が、送信装置１０側での割当状況を認識できる。
【００８７】
図１４は、パラメータテーブルＴ１の一例を示す図である。図１４では、パラメータテーブルＴ１として、パラメータテーブルＴ１１，Ｔ１２の２種類の表現をしている。
【００８８】
ＣＰＵ２０１は、パラメータテーブルＴ１１を生成する。パラメータテーブルＴ１１では、パラメータの一例として、group_id、搬送波周波数情報（選局周波数の情報）、number_of_carrier、carrier_sequence、stream_id、及びoriginal_network_idが含まれる。パラメータテーブルＴ１１に格納されたパラメータは、先述した図９に示した多重フレームヘッダに含まれるパラメータの第１例の内容と同じでよい。
【００８９】
また、ＣＰＵ２０１は、ＣＰＵ２０１は、同一のストリームＳＴの合成順序（割当順序）に応じて、パラメータテーブルＴ１１を加工し、パラメータテーブルＴ１２を生成してよい。
【００９０】
パラメータテーブルＴ１２では、ストリームＳＴ１（stream_idが「０ｘ６０１０」）の合成順序が１番目（carrier_sequenceが「１」）である多重フレームＭＦ１に対応する搬送波ＣＷ１に関するパラメータが、１行目に記されている。ストリームＳＴ１（stream_idが「０ｘ６０１０」）の合成順序が２番目（carrier_sequenceが「２」）である多重フレームＭＦ４に対応する搬送波ＣＷ４に関するパラメータが、２行目に記されている。ストリームＳＴ２（stream_idが「０ｘ６０２０」）の合成順序が１番目（carrier_sequenceが「１」）である多重フレームＭＦ２に対応する搬送波ＣＷ２に関するパラメータが、３行目に記されている。ストリームＳＴ２（stream_idが「０ｘ６０２０」）の合成順序が２番目（carrier_sequenceが「２」）である多重フレームＭＦ４に対応する搬送波ＣＷ４に関するパラメータが、４行目に記されている。ストリームＳＴ３（stream_idが「０ｘ６０３０」）の合成順序が１番目（carrier_sequenceが「１」）である多重フレームＭＦ３に対応する搬送波ＣＷ３に関するパラメータが、５行目に記されている。ストリームＳＴ３（stream_idが「０ｘ６０３０」）の合成順序が２番目（carrier_sequenceが「２」）である多重フレームＭＦ４に対応する搬送波ＣＷ４に関するパラメータが、６行目に記されている。
【００９１】
図１４に示されたパラメータの情報により、受信装置２０は、どの搬送波ＣＷに対応する多重フレームＭＦに、どのストリームＳＴが格納されているか、ストリームＳＴを合成するためにどの搬送波が選局されるべきか、どのような順序で搬送波に対応するストリームＳＴが合成されるべきか、等を認識可能である。
【００９２】
また、number_of_carrierに示すように、複数のストリームＳＴ１〜ＳＴ３を送信するために必要な搬送波の総数４よりも、単一のストリームＳＴ（ストリームＳＴ１〜ＳＴ３のいずか１つ）を送信するために必要な搬送波の総数２（図９では２）が少ない。そのため、受信装置２０は、搬送波群に属する搬送波の全てを受信しなくても、単一のストリームを合成して復元できる。
【００９３】
また、搬送波群に含まれる全ての搬送波に均等に複数のストリームＳＴ１〜ＳＴ３を割り当てると、carrier_sequenceは順番に「１」、「２」、「３」、「４」となる。一方、搬送波群に、単一のストリームＳＴで占有する搬送波ＣＷ１〜ＣＷ３が含まれることで、単一のストリームが割り当てられる搬送波の数が減り、carrier_sequenceの最大値（図１４では「２」）が、均等に搬送波に割り当てる場合と比較して小さくなる。これは、受信装置２０により指定ストリームを取得するための搬送波ＣＷの数を低減できることを意味する。よって、受信装置２０は、ケーブルチューナ２０４の数が低減できる。また、複数のストリームＳＴ１〜ＳＴ３のそれぞれで割り当てられない搬送波ＣＷが存在することで、carrier_sequenceの値として同じ値（例えば「１」）が存在し得る。この場合でも、受信装置２０は、指定ストリームを含む搬送波ＣＷに対応する多重フレームＭＦを取得することで、carrier_sequenceに従って、ストリームＳＴの各分割ＴＬＶパケットＰ２を整列できる。
【００９４】
図１５は、各多重フレームＭＦ１〜ＭＦ４に対する各分割ＴＬＶパケットＰ２の割当例を示す図である。各多重フレームＭＦ１〜ＭＦ４のそれぞれは、受信された各搬送波ＣＷ１〜ＣＷ４のそれぞれに対応する。図１５では、１フレームあたりの割当スロットの数は、一例として５２個である。図１５では、複数の搬送波ＣＷとして、４つの搬送波ＣＷ１〜ＣＷ４が存在し、搬送波ＣＷ１〜ＣＷ４に対応する多重フレームＭＦ１〜ＭＦ４が示されている。
【００９５】
ＱＡＭ復調部２０５は、複数の搬送波ＣＷ１〜ＣＷ４を用いて送信された信号を復調し、復調データを得る。復調データは、複数の搬送波ＣＷ１〜ＣＷ４に対応する多重フレームＭＦ１〜ＭＦ４を含む。
【００９６】
多重フレームＭＦ１の各割当スロットには、分割ＴＬＶパケットＰ２Ａ−１、Ｐ２Ａ−３、Ｐ２Ａ−４、Ｐ２Ａ−５、Ｐ２Ａ−７、・・・Ｐ２Ａ−６８が順に割り当てられている。多重フレームＭＦ２の各割当スロットには、分割ＴＬＶパケットＰ２Ｂ−１、Ｐ２Ｂ−２、Ｐ２Ｂ−４、Ｐ２Ｂ−５、Ｐ２Ｂ−６、・・・Ｐ２Ｂ−６８が順に割り当てられている。多重フレームＭＦ３の各割当スロットには、分割ＴＬＶパケットＰ２Ｃ−１、Ｐ２Ｃ−２、Ｐ２Ｃ−３、Ｐ２Ｃ−５、Ｐ２Ｃ−６、・・・Ｐ２Ｃ−６７が順に割り当てられている。多重フレームＭＦ４の各割当スロットには、分割ＴＬＶパケットＰ２Ａ−２、Ｐ２Ｂ−３、Ｐ２Ｃ−４、Ｐ２Ａ−６、Ｐ２Ｂ−７、・・・Ｐ２Ｃ−６８が順に割り当てられている。
【００９７】
したがって、ＱＡＭ復調部２０５は、復調により、複数の搬送波ＣＷ１〜ＣＷ４に対応付けられたストリームＳＴ１〜ＳＴ３の一部である分割ＴＬＶパケットＰ２を複数取得する。
【００９８】
複数のストリームＳＴ１〜ＳＴ３が混在して格納される多重フレームＭＦ４では、ストリームＳＴ１の分割ＴＬＶパケットＰ２は、１，４，７，…，４９番目の割当スロットに割り当てられている。多重フレームＭＦ４では、ストリームＳＴ２の分割ＴＬＶパケットＰ２は、２，５，８，…，５０番目の割当スロットに割り当てられている。多重フレームＭＦ４では、ストリームＳＴ３の分割ＴＬＶパケットＰ２は、３，６，９，…，５１番目の割当スロットに割り当てられている。
【００９９】
各分割ＴＬＶパケットＰ２が格納された多重フレームＭＦ１〜ＭＦ４は、ＱＡＭ復調部２０５から出力される。なお、図１５では、説明のために４つの多重フレームＭＦ１〜ＭＦ４の各分割ＴＬＶパケットＰ２が示されているが、同時に受信可能な搬送波ＣＷの数はケーブルチューナ２０４の数に依存する。例えば、図１３に示すように受信装置２０が２つのケーブルチューナ２０４を備える場合、実際には、指定ストリームを取得するための２つの搬送波ＣＷが選択され、多重フレームＭＦ１〜ＭＦ４のうちのいずれか２つの多重フレームＭＦの各分割ＴＬＶパケットＰ２が取得されることになる。
【０１００】
図１５では、多重フレームＭＦ１の１番目の割当スロットと２番目の割当スロットに記された矢印は、データの時間順を示す。つまり、多重フレームＭＦ１では、１番目の割当スロットの左側から右側に順に処理され、続いて２番目の割当スロットの左側から右側に順に処理される。
【０１０１】
図１６は、指定ストリームがストリームＳＴ１である場合の分割ＴＬＶパケットＰ２の合成例を示す図である。指定ストリームがストリームＳＴ１である場合、ＣＰＵ２０１は、パラメータテーブルＴ１に保持されたgroup_id及びstream_idに基づいて、搬送波ＣＷ１，ＣＷ４に対応する選局周波数を指定する。ケーブルチューナ２０４は、搬送波ＣＷ１，ＣＷ４を用いて伝送された信号を取得する。ＱＡＭ復調部２０５は、取得された信号を復調して、復調データを得る。合成部２０６は、パラメータテーブルＴ１に保持されたnumber_of_carrier及びcarrier_sequenceに基づいて、復調データから、搬送波ＣＷ１に対応する多重フレームＭＦ１の分割ＴＬＶパケットＰ２と、搬送波ＣＷ４に対応する多重フレームＭＦ４の分割ＴＬＶパケットとを、例えば図１５に示した順番で取得する。つまり、合成部２０６は、多重フレームＭＦ１，ＭＦ４から交互に分割ＴＬＶパケットＰ２を取得する。合成部２０６は、順番に取得された複数の分割ＴＬＶパケットＰ２を合成し、合成データを得る。この合成データは、指定ストリーム以外のストリームＳＴ２，ＳＴ３の分割ＴＬＶパケットＰ２も混在している。
【０１０２】
図１７は、指定ストリームがストリームＳＴ１である場合の指定ストリーム以外のストリームＳＴ２，ＳＴ３の分割ＴＬＶパケットＰ２をＮＵＬＬパケットとすることを説明する図である。
【０１０３】
ストリーム選択部２０７は、多重フレームＭＦ１，ＭＦ４の多重フレームヘッダから、スロットストリーム対応情報を取得する。このスロットストリーム対応情報は、先述した図１０に示した多重フレームヘッダに含まれるパラメータの第２例の内容と同じでよい。つまり、スロットストリーム対応情報は、スロット番号、相対ストリーム番号、stream_id、original_network_idが関連付けて含まれている。ストリーム選択部２０７は、スロットストリーム対応情報を参照して、指定ストリームのstream_idに対応する割当スロットのスロット番号（スロット位置）を取得し、非指定ストリームのstream_idに対応する割当スロットのスロット番号（スロット位置）を取得する。ストリーム選択部２０７は、非指定ストリームであるストリームＳＴ２，ＳＴ３に対応するスロット番号の割当スロットに格納された分割ＴＬＶパケットＰ２を、ＮＵＬＬパケットに変換する（ＮＵＬＬパケット化する）。図１７では、ストリーム選択部２０７は、合成データにおける分割ＴＬＶパケットＰ２Ｂ−３、Ｐ２Ｃ−４，Ｐ２Ｂ−７をＮＵＬＬパケットに変換する。これにより、受信装置２０は、指定ストリーム以外のストリームである非指定ストリームを含む多重フレームＭＦを取得した場合でも、非指定ストリームの分割ＴＬＶパケットＰ２を除外して、指定ストリームの分割ＴＬＶパケットＰ２に限定して抽出できる。
【０１０４】
図１８は、指定ストリームがストリームＳＴ１である場合のＴＬＶパケットＰ１の配列例を示す図である。図１８では、図１７と比較すると、パケット変換部２０８が、固定長の分割ＴＬＶパケットＰ２を可変長のＴＬＶパケットＰ１に変換している。なお、ストリーム選択部２０７又はパケット変換部２０８が、ＮＵＬＬパケットを除去している。これにより、受信装置２０は、送信装置１０により元の可変長のＴＬＶパケットＰ１が固定長の分割ＴＬＶパケットＰ２に変換されている場合でも、元の可変長のＴＬＶパケットＰ１を取得できる。
【０１０５】
＜受信装置の動作＞
次に、受信装置２０の動作例について説明する。
図１９は、受信装置２０の動作例を示すフローチャートである。図１９では、ケーブルチューナ２０４及びＱＡＭ復調部２０５が２個である場合を例示する。また、図１９では、受信装置２０が、ＮＵＬＬパケット化した後に合成を行うことを例示する。
【０１０６】
まず、ケーブルチューナ２０４ａ，２０４ｂのうち少なくとも１つは、ＣＰＵ２０１からの選局指示に応じた周波数の搬送波を取得するよう選局する（Ｓ２０１）。ケーブルチューナ２０４ａ，２０４ｂのうち少なくとも１つは、選局指示に応じた周波数の搬送波を用いて伝送された信号を取得する。信号を取得したケーブルチューナ２０４の後段に配置されたＱＡＭ復調部２０５ａ，２０５ｂのうち少なくとも１つは、取得された信号を、既定の復調方式で復調し、復調データを得る。
【０１０７】
ＣＰＵ２０１は、復調データに多重フレームヘッダが含まれるか否かを判定する（Ｓ２０２）。ＣＰＵ２０１は、例えば多重フレームヘッダの先頭に存在する同期バイトを検出したか否かに応じて、多重フレームヘッダの有無を判定してよい。多重フレームヘッダが存在する場合、復調データに多重フレームＭＦが含まれる。
【０１０８】
復調データに多重フレームヘッダが含まれる場合、ＣＰＵ２０１は、多重フレームヘッダに拡張情報が含まれるか否かを判定する（Ｓ２０３）。拡張情報が含まれるとは、拡張情報に含まれる少なくとも１つのパラメータ（例えばgroup_id、number_of_sequence、carrier_sequence）に、情報が含まれることを意味する。
【０１０９】
多重フレームヘッダに拡張情報が含まれる場合、ＣＰＵ２０１は、多重フレームヘッダから、group_id、number_of_sequence、carrier_sequence、stream_id、original_network_idを取得する（Ｓ２０４）。
【０１１０】
ＣＰＵ２０１は、取得された各情報（group_id、number_of_sequence、carrier_sequence、stream_id、original_network_id）を、パラメータテーブルＴ１に登録する（Ｓ２０５）。
【０１１１】
ＣＰＵ２０１は、全ての周波数のスキャンが終了したか否かを判定する（Ｓ２０６）。全ての周波数の搬送波のスキャンが終了していない場合、ＣＰＵ２０１は、次の周波数のスキャンを行うために、選局周波数の変更をケーブルチューナ２０４に指示する。ケーブルチューナ２０４は、ＣＰＵ２０１の指示に応じて、搬送波の周波数を変更する（Ｓ２０７）。
【０１１２】
ＣＰＵ２０１は、複数のストリームＳＴのうち単一のストリームＳＴを指定する。ＣＰＵ２０１は、パラメータテーブルＴ１を参照して、指定ストリームに対応する選局周波数の情報を取得し、複数のケーブルチューナ２０４ａ，２０４ｂのそれぞれに指示する。ケーブルチューナ２０４ａ，２０４ｂは、ＣＰＵ２０１の指示に応じて、同一のストリームで異なる搬送波ＣＷの周波数を選局し、複数の搬送波ＣＷを用いて送信された信号を受信する（Ｓ２０８）。よって、ケーブルチューナ２０４ａ，２０４ｂは、指定ストリームを含む多重フレームＭＦに対応する搬送波ＣＷを選局する。したがって、ケーブルチューナ２０４は、分配部２０３を介して、指定ストリームのstream_idと同一のstream_idであり、同一の搬送波群に属する（つまり同一のgroup_idを有する）複数の搬送波ＣＷを用いて送信された信号を受信する。
【０１１３】
ＱＡＭ復調部２０５は、ケーブルチューナ２０４ａ，２０４ｂを介して取得された複数の信号を復調し、複数の復調データを得る。ストリーム選択部２０７は、複数の復調データから、指定ストリームが含まれる多重フレームＭＦの割当スロットの分割ＴＬＶパケットＰ２を選択し（ＮＵＬＬパケット化せず）、指定ストリーム以外のストリームが含まれる多重フレームＭＦの割当スロットの分割ＴＬＶパケットＰ２を、ＮＵＬＬパケットに変換する（Ｓ２０９）。
【０１１４】
合成部２０６は、パラメータテーブルＴ１に含まれる指定ストリームのstream_idに対応するcarrier_sequenceが示す順序に従って、多重フレームＭＦの割当スロットの分割ＴＬＶパケットＰ２を合成する（Ｓ２１０）。ここでは、ＮＵＬＬパケットは、合成対象から除外されて、合成に用いられず、指定ストリームの分割ＴＬＶパケットＰ２が合成される。
【０１１５】
パケット変換部２０８は、合成された複数の分割ＴＬＶパケットＰ２を、可変長のＴＬＶパケットＰ１に変換し、ＴＬＶパケットＰ１を抽出する（Ｓ２１１）。これにより、受信装置２０は、指定ストリームの各ＴＬＶパケットＰ１を取得できる。
【０１１６】
このような受信装置２０によれば、同じ搬送波群に属する複数の搬送波ＣＷ１のうち、同じストリームＳＴが割り当てられた搬送波ＣＷを用いて伝送されたストリームＳＴを取得する。そのため、受信装置２０は、同じ搬送波群に属する全ての搬送波ＣＷを受信しなくてよい。よって、受信装置２０は、同じストリームである１つのストリームＳＴが割り当てられる搬送波ＣＷの数に応じて、ケーブルチューナ２０４の数を低減でき、受信装置２０のコストを低減できる。
【０１１７】
なお、Ｓ２０１〜Ｓ２０７の周波数スキャンは、図１９のように受信装置２０により単一のストリームを取得するタイミングで一連の動作として実施されてもよい。また、Ｓ２０１〜Ｓ２０７の周波数スキャンは、受信装置２０により単一のストリームを取得するタイミングとは異なるタイミングで実施され、周波数スキャンの処理結果がパラメータテーブルＴ１の情報としてメモリ２０２に保持されていてもよい。
【０１１８】
次に、本実施形態と比較例とを比較する。
【０１１９】
図２０は、比較例を説明するための図である。送信装置が、高度ＢＳ放送において１つの搬送波を用いて３チャネル分（３つのストリーム）の４Ｋ放送の放送信号を６４ＱＡＭ変調方式で変調し、ケーブルを介して再放送する場合、４つの搬送波が必要となる。つまり、送信装置は、１つの搬送波を用いて高度ＢＳ放送の放送信号を受信し、これを４つの搬送波に等分に分割して割り当て、送信する。受信装置は、送信装置からの信号を受信する場合、４つの搬送波を用いて送信された信号を全て受信し、合成して、所望の４Ｋ放送（所望のストリーム）を選択する。したがって、４つの搬送波を受信する必要があり、ケーブルチューナが４つ必要となり、受信装置のコストアップに繋がる。
【０１２０】
これに対し、本実施形態では、送信装置１０が、高度ＢＳ放送において１つの搬送波を用いて３チャネル分（３つのストリームＳＴ）の４Ｋ放送の放送信号を６４ＱＡＭ変調方式で変調し、ケーブル３０を介して再放送する場合でも、受信側で取得すべき搬送波の数は２つとなる。送信装置１０が、搬送波ＣＷ１〜ＣＷ３のそれぞれに、単一のストリーム（ストリームＳＴ１〜ＳＴ３のいずれか１つ）の一部を割り当て、搬送波ＣＷ４に、ストリームＳＴ１〜ＳＴ３の残りを割り当てるためである。したがって、それぞれのストリームは、２つの搬送波ＣＷに対応する多重フレームＭＦ内に格納される。よって、受信装置２０は、指定ストリームを得るために、指定ストリームに対応する２つの搬送波ＣＷの周波数を選局すればよく、ケーブルチューナ２０４を２つ備えればよい。したがって、受信装置２０は、比較例と同じ信号を受信する場合でも、比較例よりもケーブルチューナ２０４の数を低減でき、受信装置２０のコストを低減できる。
【０１２１】
また、全ての搬送波ＣＷに単一のストリーム（ストリームＳＴ１〜ＳＴ３のいずれか１つ）が割り当てられ、複数のストリームＳＴ１〜ＳＴ３が混在して割り当てられる搬送波ＣＷが存在しない場合、ケーブル３０を介して１つのストリームＳＴ１を送るためには、２つの搬送波が必要となる。よって、ケーブル３０を介して３つのストリームＳＴ１〜ＳＴ３を送るためには、６つの搬送波が必要となる。この場合、６つの搬送波（つまり帯域）を確保するので、帯域効率が低下する。この場合と比較すると、本実施形態の受信装置２０は、ケーブルチューナ２０４の数を低減でき、受信装置２０のコストを低減できる。また、送信装置１０は、より少ない搬送波ＣＷを用いてストリームＳＴ１〜ＳＴ３を伝送でき、帯域効率を向上できる。
【０１２２】
＜本実施形態の概要＞
以上のように、送信装置１０は、放送された複数のストリームＳＴ１〜ＳＴ３を取得する取得部と、複数のストリームＳＴ１〜ＳＴ３のそれぞれを分割して複数の搬送波ＣＷ１〜ＣＷ４のそれぞれに割り当てる分割部と、分割されたそれぞれのストリームＳＴ１〜ＳＴ３を既定の変調方式で変調する変調部と、変調されたそれぞれのストリームＳＴ１〜ＳＴ３を、複数の搬送波ＣＷ１〜ＣＷ４を用いて送信する送信部と、を備える。分割部は、複数の搬送波ＣＷ１〜ＣＷ４のうちいずれかの搬送波ＣＷ１〜ＣＷ３に、複数のストリームＳＴ１〜ＳＴ３のうち単一のストリームの一部を割り当てるとともに、いずれかの搬送波以外の他の搬送波ＣＷ４に、複数のストリームについて、単一のストリームのうち一部以外の残りを割り当てる。取得部は、例えば、衛星チューナ１０１、ＡＰＳＫ復調部１０２、ＴＬＶパケット分割部１０３、パケット変換部１０４を含む。分割部は、例えばパケット割当部１０５である。変調部は、例えばＱＡＭ変調部１０７である。送信部は、例えば混合部１０８である。既定の変調方式は、例えば６４ＱＡＭ変調方式である。
【０１２３】
これにより、送信装置１０は、均等にストリームＳＴ１〜ＳＴ３が割り当てられた搬送波ＣＷを用いるのではなく、１つのストリームＳＴにより占有される搬送波ＣＷ１〜ＣＷ３と、複数のストリームＳＴにより共有される搬送波ＣＷ４を用いて、ストリームＳＴ１〜ＳＴ３を送信できる。よって、送信装置１０は、単一のストリームＳＴが割り当てられる搬送波ＣＷの数を減らして、複数のストリームＳＴを受信装置２０へ送信できる。よって、単一のストリームＳＴが割り当てられる搬送波ＣＷの数に応じて設けられるケーブルチューナ２０４の数を低減でき、受信装置２０のコストを低減できる。このように、送信装置１０は、ストリームＳＴ１〜ＳＴ３の搬送波ＣＷへの割り当てのバランスを工夫している。
【０１２４】
送信装置１０は、ストリームＳＴに、ストリームＳＴに関する付加情報を付加する付加部を備えてよい。付加情報は、複数の搬送波ＣＷを含む搬送波群を識別するための搬送波群識別情報と、複数のストリームＳＴを識別するためのストリーム識別情報と、を含んでよい。付加部は、例えばヘッダ付加部１０６である。付加情報は、例えば多重フレームヘッダである。搬送波群識別情報は、例えばgroup_idである。ストリーム識別情報は、例えばstream_idである。
【０１２５】
これにより、送信装置１０は、搬送波群識別情報及びストリーム識別情報を受信装置２０へ提供できる。よって、送信装置１０は、受信装置２０が、搬送波群識別情報及びストリーム識別情報に基づいて受信すべき複数の搬送波を選局することを支援できる。
【０１２６】
付加情報は、単一のストリームＳＴが割り当てられる搬送波ＣＷの数を示す搬送波数情報と、単一のストリームＳＴが搬送波ＣＷに割り当てられる順序を示す搬送波順序情報と、を含んでよい。搬送波数情報は、number_of_carrierである。搬送波順序情報は、carrier_sequenceである。
【０１２７】
これにより、送信装置１０は、搬送波数情報と搬送波順序情報とを受信装置２０へ提供できる。よって、送信装置１０は、受信装置２０が、搬送波数情報と搬送波順序情報とに基づいて、複数の搬送波ＣＷに割り当てられたストリームの一部の合成順序を決定することを支援できる。
【０１２８】
搬送波数情報が示す値は、搬送波群識別情報が同一である搬送波の総数よりも小さくてよい。
【０１２９】
これにより、送信装置１０は、同じ搬送波群に属する搬送波ＣＷの全てを用いずに、同じ搬送波群に属する搬送波ＣＷの一部を用いていることを、受信装置２０へ通知できる。受信装置２０では、搬送波群においてストリームＳＴの伝送に用いられている搬送波ＣＷの数を把握できる。
【０１３０】
取得部は、既定の変調方式とは異なる第２の変調方式で変調された複数のストリームＳＴ１〜ＳＴ３を受信する受信部と、受信された複数のストリームＳＴ１〜ＳＴ３を、第２の変調方式に対応した復調方式で復調する復調部と、復調された複数のストリームＳＴ１〜ＳＴ３のそれぞれに含まれる、複数のストリームＳＴ１〜ＳＴ３のそれぞれを識別するためのストリーム識別情報に基づいて、複数のストリームＳＴ１〜ＳＴ３のそれぞれを取得する生成部と、を備えてよい。受信部は、例えば衛星チューナ１０１である。復調部は、例えばＡＰＳＫ復調部１０２である。生成部は、例えば、ＴＬＶパケット分割部１０３、パケット変換部１０４を含む。復調方式は、例えば６４ＱＡＭ復調方式である。
【０１３１】
これにより、送信装置１０は、例えば、衛星放送の放送信号等のストリームを取得して復調し、このストリームを分割して複数の搬送波ＣＷに割り当てて、ケーブル３０を介して再送信できる。また、送信装置１０は、送信装置１０の変調方式とは異なる変調方式で変調されたストリームＳＴを受信し、送信装置１０の変調方式でストリームＳＴを変調して、再送信できる。したがって、元のストリームの変調方式と受信側の復調方式とが対応していない場合でも、受信側の復調方式で復調可能に変調方式を変換できる。
【０１３２】
復調された複数のストリームＳＴ１〜ＳＴ３のそれぞれは、可変長のパケット単位のストリームで構成されてよい。生成部は、可変長のパケット単位のストリームＳＴ１〜ＳＴ３を、固定長のパケット単位のストリームＳＴ１〜ＳＴ３に変換してよい。
【０１３３】
これにより、送信装置１０は、例えば、衛星放送の放送信号等のストリームとして、様々なパケット種別のパケット（例えばＴＬＶパケット、ＴＳパケット）を取得した場合でも、いずれも固定長のパケット単位のストリームとして搬送波ＣＷに割り当て、受信装置２０へ送信できる。よって、送信装置１０は、複数の方式（例えば新方式と既存方式）の放送信号を取得して再送信する場合でも、複数の方式に対して互換性を向上できる。
【０１３４】
また、受信装置２０は、複数の搬送波ＣＷ１〜ＣＷ４を用いて送信された複数のストリームＳＴ１〜ＳＴ３を受信する。受信装置２０は、複数の搬送波ＣＷ１〜ＣＷ４を含む搬送波群を識別するための搬送波群識別情報が同一であり、且つ、複数のストリームＳＴ１〜ＳＴ３のそれぞれを識別するためのストリーム識別情報が同一であるストリームＳＴを取得する受信部と、取得されたストリームＳＴを既定の復調方式で復調して、複数の搬送波ＣＷ１〜ＣＷ４のそれぞれに対応付けられたストリームＳＴ１〜ＳＴ３の一部を複数取得する復調部と、取得された複数のストリームＳＴ１〜ＳＴ３の一部を合成し、複数のストリームＳＴ１〜ＳＴ３のうち単一のストリームＳＴを取得する合成部と、を備える、受信部は、例えば、分配部２０３、ケーブルチューナ２０４、を含む。復調部は、例えばＱＡＭ復調部２０５である。合成部は、例えば、ＣＰＵ２０１、合成部２０６、ストリーム選択部２０７、パケット変換部２０８を含む。搬送波群識別情報は、例えばgroup_idである。ストリーム識別情報は、例えばstream_idである。復調方式は、６４ＱＡＭ復調方式である。
【０１３５】
これにより、受信装置２０は、同じ搬送波群に属する複数の搬送波ＣＷ１〜ＣＷ４のうち、同じストリームＳＴ（たとえばＳＴ１）が割り当てられた搬送波ＣＷ（例えばＣＷ１，ＣＷ４）を用いて伝送されたストリームＳＴを取得する。そのため、受信装置２０は、同じ搬送波群に属する全ての搬送波ＣＷを受信しなくてよい。よって、同じストリームである１つのストリームＳＴが割り当てられる搬送波ＣＷの数に応じて設けられるケーブルチューナ２０４の数を低減でき、受信装置２０のコストを低減できる。
【０１３６】
合成部は、複数の搬送波ＣＷ１〜ＣＷ４のそれぞれに対応付けられて復調された出力データから、単一のストリームＳＴが割り当てられる搬送波ＣＷの数を示す搬送波数情報と、単一のストリームＳＴが搬送波ＣＷに割り当てられる順序を示す搬送波順序情報と、を取得してよい。合成部は、搬送波数情報及び搬送波順序情報に基づいて、取得されたストリームＳＴの一部を合成してよい。出力データは、例えば復調データである。搬送波数情報は、number_of_carrierである。搬送波順序情報は、carrier_sequenceである。
【０１３７】
これにより、受信装置２０は、送信装置１０により、ストリームＳＴ１〜ＳＴ３が搬送波ＣＷ１〜ＣＷ４へ均等に割り当てされず、割り当てが工夫されていても、搬送波数情報及び搬送波順序情報に基づいて、取得されたストリームＳＴの一部の合成の順序を把握できる。よって、送信装置１０から複数のストリームＳＴ１〜ＳＴ３が送信されても、受信装置２０は、ストリームＳＴの一部を合成して単一のストリームＳＴを復元できる。
【０１３８】
受信装置２０は、搬送波ＣＷ毎に、搬送波群識別情報と、搬送波の周波数の情報と、ストリーム識別情報と、搬送波数情報と、搬送波順序情報と、のうち少なくとも１つを記憶部に記憶させる制御部と、を更に備えてよい。制御部は、例えばＣＰＵ２０１である。記憶部は、例えばメモリ２０２である。
【０１３９】
これにより、受信装置２０は、搬送波群識別情報と、搬送波の周波数の情報と、ストリーム識別情報と、搬送波数情報と、搬送波順序情報との少なくとも１つを保持することで、例えば指定ストリームに対応する搬送波の周波数等を把握できる。よって、受信装置２０は、任意のストリームＳＴに対応する選局周波数を決定し、ストリームＳＴの一部の合成順序を決定できる。したがって、受信装置２０は、例えば、同一の搬送波群に含まれる全ての搬送波を受信することを回避して、所望のストリームに関係する搬送波に限定して、ケーブルチューナ２０４により取得できる。よって、送信装置１０が、複数のストリームＳＴを複数の搬送波ＣＷに均等に割り当てず、各ストリームＳＴの割当量が搬送波ＣＷによって異なる場合でも、受信装置２０が、送信装置１０側での割当状況を認識できる。
【０１４０】
受信装置２０は、ストリーム識別情報を指定する指定部、を更に備えてよい。合成部は、複数の搬送波ＣＷ１〜ＣＷ４のそれぞれに対応付けられて復調された出力データから、ストリーム識別情報を含むヘッダ情報を取得してよい。合成部は、ヘッダ情報に基づいて、指定されたストリーム識別情報と一致するストリーム識別情報を有するストリームを取得し、指定されたストリーム識別情報と一致しないストリーム識別情報を有するストリームをＮＵＬＬデータとしてよい。指定部は、例えばＣＰＵ２０１である。出力データは、例えば復調データである。ヘッダ情報は、例えば多重フレームヘッダである。
【０１４１】
これにより、受信装置２０は、複数の搬送波ＣＷに対応する複数の出力データを取得する。複数の出力データには、複数のパケットが多重化されて含まれ、複数のストリームのパケットが含まれ得る。この場合でも、受信装置２０は、指定ストリームのデータを取得し、指定ストリーム以外のストリームをＮＵＬＬデータ化することで、単一のストリームとしての指定ストリームを取得できる。
【０１４２】
合成により取得された単一のストリームＳＴは、固定長のパケット単位のストリームＳＴで構成されてよい。合成部は、固定長のパケット単位のストリームＳＴを、可変長のパケット単位のストリームＳＴに変換してよい。
【０１４３】
これにより、受信装置２０は、送信装置１０において様々なパケット種別のパケット（例えばＴＬＶパケット、ＴＳパケット）を含むストリームＳＴが変調されて送信されても、受信装置２０は、所望のパケットを取得できる。例えば、受信装置２０は、固定長のパケットを取得した場合、固定長の分割ＴＬＶパケットＰ２又はＴＳパケットを取得できる。受信装置２０は、固定長の分割ＴＬＶパケットＰ２を可変長のパケット単位とすることで、ＴＬＶパケットを取得できる。よって、受信装置２０は、複数の方式（例えば新方式と既存方式）のストリームを受信する場合でも、複数の方式に対して互換性を向上できる。
【０１４４】
（他の実施形態）
以上のように、本開示における技術の例示として、第１の実施形態を説明した。しかし、本開示における技術は、これに限定されず、変更、置き換え、付加、省略などを行った実施形態にも適用できる。
【０１４５】
第１の実施形態では、３チャネル分の４Ｋ放送のストリームが伝送されることを主に想定したが、３チャネル以外のチャネル数のストリームが伝送されてもよい。また、４Ｋ放送以外の高精細のストリーム（８Ｋ放送のストリーム）が伝送されてもよい。
【０１４６】
第１の実施形態において説明した送信装置１０及び受信装置２０が用いる変調方式（例えば６４ＱＡＭ変調方式）、復調方式（例えばＡＰＳＫ復調方式、６４ＱＡＭ復調方式）、搬送波の数（例えば４個）、ストリームの数（例えば３個）は、上述した例に限られず、他の方式や数でもよい。
【０１４７】
第１の実施形態におけるstream_idに基づく判定を、stream_id及びoriginal_network_idに基づく判定としてもよい。例えば、受信装置２０のＣＰＵ２０１は、同一のgroup_id、同一のstream_id、且つ同一のoriginal_network_idを有する搬送波ＣＷの周波数を、選局周波数を決定してよい。original_network_idを用いることで、受信装置２０は、ストリームＳＴが伝送されるネットワークを加味することができ、より厳密に所望のストリームを取得することが可能となる。
【０１４８】
第１の実施形態では、送信装置１０が衛星放送の放送信号を取得することを想定したが、衛星放送以外のコンテンツやデータのストリームを取得し、再送信してもよい。
【０１４９】
第１の実施形態では、ＣＰＵ２０１等のプロセッサは、物理的にどのように構成してもよい。また、プログラム可能なプロセッサを用いれば、プログラムの変更により処理内容を変更できるので、プロセッサの設計の自由度を高めることができる。プロセッサは、１つの半導体チップで構成してもよいし、物理的に複数の半導体チップで構成してもよい。複数の半導体チップで構成する場合、第１の実施形態の各制御をそれぞれ別の半導体チップで実現してもよい。この場合、それらの複数の半導体チップで１つのプロセッサを構成すると考えることができる。また、プロセッサは、半導体チップと別の機能を有する部材（コンデンサ等）で構成してもよい。また、プロセッサが有する機能とそれ以外の機能とを実現するように、１つの半導体チップを構成してもよい。
【産業上の利用可能性】
【０１５０】
本開示は、上記事情に鑑みてなされたものであり、受信装置のコストを低減して、複数の搬送波を用いて信号を伝送できる送信装置、受信装置、送信方法、及び受信方法等に有用である。
【符号の説明】
【０１５１】
５  信号伝送システム
１０  送信装置
２０  受信装置
３０  ケーブル
１０１  衛星チューナ
１０２  ＡＰＳＫ復調部
１０３  ＴＬＶパケット分割部
１０４  パケット変換部
１０５  パケット割当部
１０６  ヘッダ付加部
１０７  変調部
１０８  混合部
１１０  フロントパネル
１１１  操作部
１１２  表示領域
２０１  ＣＰＵ
２０２  メモリ
２０３  分配部
２０４，２０４ａ，２０４ｂ  ケーブルチューナ
２０５，２０５ａ，２０５ｂ  ＱＡＭ復調部
２０６  合成部
２０７  ストリーム選択部
２０８  パケット変換部
ＳＴ１，ＳＴ２，ＳＴ３  ストリーム
ＭＦ１，ＭＦ２，ＭＦ３，ＭＦ４  多重フレーム
ＣＷ１，ＣＷ２，ＣＷ３，ＣＷ４  搬送波
Ｔ１，Ｔ１１，Ｔ１２  パラメータテーブル
【図１】
2019102952.tif 000003
【図２】
2019102952.tif 000004
【図３】
2019102952.tif 000005
【図４】
2019102952.tif 000006
【図５】
2019102952.tif 000007
【図６】
2019102952.tif 000008
【図７】
2019102952.tif 000009
【図８】
2019102952.tif 000010
【図９】
2019102952.tif 000011
【図１０】
2019102952.tif 000012
【図１１】
2019102952.tif 000013
【図１２】
2019102952.tif 000014
【図１３】
2019102952.tif 000015
【図１４】
2019102952.tif 000016
【図１５】
2019102952.tif 000017
【図１６】
2019102952.tif 000018
【図１７】
2019102952.tif 000019
【図１８】
2019102952.tif 000020
【図１９】
2019102952.tif 000021
【図２０】
2019102952.tif 000022